(57)【特許請求の範囲】
【請求項１】
ナイロンをメルトブローン紡糸してなる目付１５〜５０ｇ／ｍ2のメルトブローン不織布（ａ）と、該不織布（ａ）の構成繊維の単繊維繊度より大なる単繊維繊度を有する繊維からなる目付１５〜１００ｇ／ｍ2の不織布（ｂ）またはウェブ（Ｃ）との積層体に、高圧水流を噴射し繊維を交絡させた不織布からなる、毛髪の表面に付着している水分の吸い上げに使用される使い捨て用吸水性タオル。
【請求項２】
ナイロンをメルトブローン紡糸してなる目付１５〜５０ｇ／ｍ2のメルトブローン不織布（ａ）と、該不織布（ａ）の構成繊維の単繊維繊度より大なる単繊維繊度を有する繊維からなる目付１５〜１００ｇ／ｍ2の不織布（ｂ）またはウェブ（Ｃ）との積層体に、高圧水流を噴射し繊維を交絡させた不織布の２枚を、不織布（ｂ）またはウェブ（Ｃ）が内表面側となるように積層し、手を挿入する開口部側辺を残して、手形形状に周縁部を結合してなることを特徴とする、毛髪の表面に付着している水分の吸い上げに使用される使い捨て用吸水性タオル。
【請求項３】
請求項２に記載の使い捨て用吸水性タオルにおいて、手形形状が、各指それぞれを単独に挿入する５本指形状に構成されたものであることを特徴とする、毛髪の表面に付着している水分の吸い上げに使用される使い捨て用吸水性タオル。
【請求項４】
請求項１ないし３のいずれかに記載の使い捨て用吸水性タオルにおいて、不織布（ｂ）またはウェブ（Ｃ）が、親水性繊維を主体とする繊維で構成されたものであることを特徴とする、毛髪の表面に付着している水分の吸い上げに使用される使い捨て用吸水性タオル。
【発明の詳細な説明】
【０００１】
【産業上の利用分野】
本発明は、吸水性に優れた使い捨て用タオルに関し、より具体的には、例えば女性の頭髪の如くその毛髪量が多い頭髪の、洗髪後の濡れた髪から迅速に水分を除去するのに極めて適した使い捨て用の吸収性タオルに関する。
【０００２】
【従来の技術】
毛髪量が多い頭髪は、それを洗髪等のため濡らした後乾燥状態にもってくるまでには大変な手間数を要する。
洗髪後の濡れた髪は、ブロアーを用いて乾燥させるに先立ち、タオルにより該髪を包む状態でタオルとこすり合わせ、その毛髪表面の水分並びに毛髪間の水分を吸い取ることが通常行われるが、通常のタオルは思うように水分を吸い取らず、極めて時間と手間を要する。しかも最近のタオルは、本来吸水性素材ではない疎水性の合成繊維素材を主体とし、これに綿繊維等吸水性繊維を部分混合した繊維素材からなるものが多くなってきており、水分除去には益々苦労する状況となってきているのが現状である。
また洗髪脱水に使用したタオルは、当然のことながら他に使用できず洗濯が必要であり、しかもその洗濯には、それが毛髪を付着させたタオルであるため他の洗濯衣料とは別に洗濯を要し、さらにその乾燥のためにガス、電気等多くの熱量をは要するなど、その再使用のためにも手数とコストを要することとなる。
よって、特にこの種吸水性タオルは、より吸水性が高いものであることと、再使用のための手数とコストを要しないタオルの実現が要請されている。
【０００３】
【発明が解決しようとする課題】
従って本発明は、上記の如き課題を解消する使い捨て用吸収性タオルを提供せんとするものである。即ち、本発明の目的は、洗髪等での毛髪からの吸・脱水性に優れ、再使用のための手数とコストを要しない、使い捨て用に適した吸収性タオルを創出し提供せんとするものである。
【０００４】
【課題を解決するための手段】
本発明者は、上記の如き目的を実現すべく鋭意検討した結果、本発明に到達した。即ち、本発明の第１の発明は、ナイロンをメルトブローン紡糸してなる目付１５〜５０ｇ／ｍ2のメルトブローン不織布（ａ）と、該不織布（ａ）の構成繊維の単繊維繊度より大なる単繊維繊度を有する繊維からなる目付１５〜１００ｇ／ｍ2の不織布（ｂ）またはウェブ（Ｃ）との積層体に、高圧水流を噴射し繊維を交絡させた不織布からなる、毛髪の表面に付着している水分の吸い上げに使用される使い捨て用吸水性タオルである。また本発明の第２の発明は、ナイロンをメルトブローン紡糸してなる目付１５〜５０ｇ／ｍ2のメルトブローン不織布（ａ）と、該不織布（ａ）の構成繊維の単繊維繊度より大なる単繊維繊度を有する繊維からなる目付１５〜１００ｇ／ｍ2の不織布（ｂ）またはウェブ（Ｃ）との積層体に、高圧水流を噴射し繊維を交絡させた不織布の２枚を、不織布（ｂ）またはウェブ（Ｃ）が内表面側となるように積層し、手を挿入する開口部側辺を残して、手形形状に周縁部を結合してなることを特徴とする、毛髪の表面に付着している水分の吸い上げに使用される使い捨て用吸水性タオルである。また本発明の第３の発明は、上記第２発明の使い捨て用吸水性タオルにおいて、手形形状が、各指それぞれを単独に挿入する５本指形状に構成されたものであることを特徴とする、毛髪の表面に付着している水分の吸い上げに使用される使い捨て用吸水性タオルである。また本発明の第４の発明は、上記第１ないし３発明のいずれかに記載の使い捨て用吸水性タオルにおいて、不織布（ｂ）またはウェブ（Ｃ）が、親水性繊維を主体とする繊維で構成されたものであることを特徴とする使い捨て用吸水性タオルである。
【０００５】
本発明は、毛髪等の表面に付着している水分を吸い上げ、除去するタオル材として、その単繊維径が極細でその繊維間表面積が極めて大きく、そこでの毛細管現象を有効に利用できるメルトブローン不織布を基本的に利用するものである。ところで、該メルトブローン不織布をタオル材として利用する場合、毛髪等を手でこするような操作を行うのに、適度の張り、腰があり、その操作が行い易いこと、また手でこする操作を行っても単繊維がケバ立ち脱落することがなく、かつシートとしての構造破壊を生ずることなく実質上そのシート形態の損傷を受けることなく維持できること、が必要である。また該メルトブローン不織布を構成する素材は、それが、この種不織布で汎用的かつ圧倒的に使用されているポリプロピレン樹脂のごとき疎水性が高いものであっては、微細極大空間による毛細管現象を利用出来ず好ましくないので、出来るだけ親水性の素材であることも必要である。
【０００６】
本発明第１の発明は、これらの点を克服するために、ナイロン樹脂を使用したメルトブローン不織布を使用し、かつ該メルトブローン不織布繊維間を高圧水流で交絡させることによってなし得たものである。その場合、タオル材として使用するには、その目付は１５〜５０ｇ／ｍ２のものとする。１５ｇ／ｍ２未満では薄過ぎ、強度的に弱いものとなり好ましくなく、また５０ｇ／ｍ２を越えるものは厚過ぎ、コストもかかるものとなり、いはば過剰品質となって好ましくない。
【０００７】
本タオルは、上記のように水流絡合させたものであるが、場合によりエンボスローラとフラットローラとの間でエンボスを形成させることができる。該エンボスは、それによりタオルとしての風合がかたいものとなったり、また吸水性を大きく阻害するものとなっては好ましくなく、その意味で、該エンボスは、断続的に分布する細かいエンボス点であることが好ましい。
【０００８】
また本タオルは、その目的上表面に図柄等を付与することが一般的であるが、本タオルはナイロンメルトブローン不織布を使用するので、美麗な図柄印刷が可能である。この印刷手段を特定するものではない。
【０００９】
第２発明および第３発明は、第１発明のシート状タオルを、手形形状のタオルに構成することにより、その操作性をより高めた発明である。第２発明のように手形形状であれば、シート形状の場合に比べてその操作性がよくなり、その形態を特定するものではないが、特に第３発明のように、５本指形状の手形形状タオルとすることによって手櫛効果を最大限に発揮でき、吸水、脱水操作が極めて促進することができることとなる。両発明において、手形形状に製造する製造加工手段は、手形形状への融着と同時に切断を行うことができる、いわゆる高周波ウェルダー手段を好ましく用いることができるが、本発明においては、この加工手段に限られるものではなく、後述する複合シート２枚を予じめ手形形状に切断し、その後両者を熱融着手段により結合してもよく、また熱融着に替えて接着剤を使用して結合してもよく、さらに縫製により結合してもよい。
【００１０】
該メルトブローン不織布は、毛髪等表面に付着した水分を毛細管現象により吸い上げる吸上材として機能するものであるが、該吸い上げた水分が該メルトブローン不織布で飽和状態となれば、それ以降は毛細管現象を有効に利用することが出来なくなる。そこで本発明は、吸上材としてのメルトブローン不織布（ａ）の毛細管現象をいつまでも有効に発揮させるために、該メルトブローン不織布（ａ）で吸い上げた水分を該メルトブローン不織布から移動させて蓄える、保水層（材）としての不織布（ｂ）またはカードから紡出されたウェブ（Ｃ）を積層し、両者繊維を絡合させることによって、上記の課題を克服するものであり、またこの積層構成によりタオルとしての強度的特性をも向上させることができるものである。
【００１１】
この不織布（ｂ）またはウェブ（Ｃ）は、その目的上、不織布（ａ）の構成繊維の単繊維繊度より大きい単繊維繊度を有する繊維を用い、その繊維からなる目付１５〜１００ｇ／ｍ2の不織布として構成すればよい。この不織布（ｂ）またはウェブ（Ｃ）を構成する繊維としては、パルプ、レーヨン、ポリノジック、キュプラ、デュオセル、木綿等の親水性繊維を主体として用いることが極めて好ましいが、これらに限定されるものではない。これら親水性繊維と、ナイロン、ポリエステル、ポリエチレン、ポリプロピレン、ビニロン、アクリル等の通常の合成繊維や、バインダー繊維を配合して用いてもよい。不織布（ｂ）またはウェブ（Ｃ）の目付は１５ｇ／ｍ2未満となるとその併用効果が薄く、また１００ｇ／ｍ2を越えるものでは嵩高くなり好ましくない。なおこの場合、不織布（ａ）の目付は１５〜５０ｇ／ｍ2とする。
【００１２】
この場合の両者の複合化は、不織布（ａ）を不織布（ｂ）またはウェブ（Ｃ）と積層し、高圧水流により水流絡合させ両者を結合させてもよいが、不織布（ａ）のメルトブロー紡糸を不織布（ｂ）またはウェブ（Ｃ）の上に直接紡糸して積層体をつくり、これに高圧水流による水流絡合を行ってもよい。なおこの水流絡合は、不織布（ａ）の側から水流を当てることが好ましい。この水流絡合により、不織布（ａ）としてはその構成単繊維が３次元絡合し、実際使用に際してその損傷が防げ、単繊維がケバ立ったり抜け落ちることがなくなり、また不織布（ａ）と不織布（ｂ）またはウェブ（Ｃ）も良好に一体化して両者の機能が果たせるものである。
【００１３】
第２発明および第３発明は、第１発明の複合シート状タオルを、手形形状のタオルに構成することにより、その操作性を、より高めた発明であり、特に第３発明のように、５本指形状のタオルとすることによって、手櫛効果を最大限に発揮でき、吸水、脱水操作が極めて促進できる。なおこの不織布（ａ）と不織布（ｂ）またはウェブ（Ｃ）の複合シート２枚を重ね合わせて手形形状に構成する場合、不織布（ａ）が外表面側（毛髪等に接触する側）、不織布（ｂ）またはウェブ（Ｃ）が内表面側（手に接触する側）となるように構成することが肝要である。
【００１４】
【実施例】
以下に本発明を実施例によってさらに具体的に説明するが、本発明はそれにより何ら限定されない。
【００１６】
実施例１；レーヨン７０％とポリエステル３０％とを配合した混合繊維綿を用い、これを通常のカード法により得られた目付７０ｇ／ｍ2の不織布（ｂ）を一方の不織布として用いた。この不織布（ｂ）を巻き出し、メルトブローン紡糸装置の捕集コンベア上に導き、この不織布上に直接、ナイロン６を常法によりメルトブロー紡糸し、目付３０ｇ／ｍ2のナイロンメルトブローン不織布（ａ）が上記不織布（ｂ）上に積層した複合シートとした。その後この複合シートにナイロンメルトブローン不織布（ａ）側から、８０ｋｇ／ｃｍ2の高圧水流にて絡合処理を行い、両者が絡合した複合シートを得た。
【００１７】
この複合シートを２枚、その不織布（ｂ）側が相対面するように重ね合わせ、これを高周波ウェルダー装置に導き、図１で示される５本指を有する手形形状に切断と縫製を行って、本発明の吸水性タオル１をつくった。
この手形形状タオルを両手にはめ、洗髪後の濡れた髪の水分を取るのに用いた。即ち、該タオルをはめた両手で濡れた髪をつかみ、それを両手中で揉むようにこするとともに、該髪を５本指で櫛とぐ操作を繰り返したが、通常のタオルで拭く場合に比べて、はるかに容易に、髪の濡れがとれることが確認できた。
【００１８】
【発明の効果】
以上のように本発明の使い捨て用吸水性タオルは、その優れた吸水性により、濡れた頭髪等の水分除去に威力を発揮できるものであり、その使用も簡単にできるものである。またその生産性も優れ、コストが低減できるものであり、使い捨て用に適したものである。
【図面の簡単な説明】
【図１】本発明吸水性タオルを、５本指を有する手形形状に形成した一例を示す平面図である。
【図２】図１での、Ｘ−Ｘ矢視断面図である。
【符号の説明】
１  本発明吸水性タオル
２  ナイロンメルトブローン不織布（ａ）
３  太繊度繊維綿からなる不織布（ｂ）
【図１】
0003875769.tif 000002
【図２】
0003875769.tif 000003